(57)【特許請求の範囲】
【請求項１】
ドライティッシュ製品であって、
それぞれが、繊維からなり、かつ少なくとも２ｃｃ／ｇの嵩を有する第１のティッシュウェブ及び前記第１のティッシュウェブに積層された第２のティッシュウェブと、
前記第１のティッシュウェブ及び前記第２のティッシュウェブの間に位置する温度変化組成物とを含み、
前記温度変化組成物が、２０℃ないし３５℃の温度で相変化しかつ少なくとも３５ｃａｌ／ｇの融解熱を有する相変化物質を含有し、該相変化物質が、少なくとも１２０ｃａｌ／ｍ２の熱吸収量を実現する量をもって前記ティッシュウェブ上に存在することを特徴とするドライティッシュ製品。
【請求項２】
前記相変化物質が、油溶性かつ疎水性であることを特徴とする請求項１に記載のドライティッシュ製品。
【請求項３】
前記温度変化組成物が、オクタデカン、ヘプタン酸ステアリル、ステアリルジメチコン及びそれらの混合物を含むことを特徴とする請求項１ないし２のいずれか１項に記載のドライティッシュ製品。
【請求項４】
前記相変化物質が、少なくとも４５ｃａｌ／ｇの融解熱を有することを特徴とする請求項１ないし請求項３のいずれか１項に記載のドライティッシュ製品。
【請求項５】
前記温度変化組成物が担体を含有し、前記相変化物質が前記担体に不溶であることを特徴とする請求項１ないし請求項４のいずれか１項に記載のドライティッシュ製品。
【請求項６】
前記担体が親水性であることを特徴とする請求項５に記載のドライティッシュ製品。
【請求項７】
前記担体がグリセリンを含むことを特徴とする請求項５に記載のドライティッシュ製品。
【請求項８】
ローション組成物をさらに含み、該ローション組成物が、前記ティッシュ製品の外面上に存在することを特徴とする請求項１ないし請求項７のいずれか１項に記載のドライティッシュ製品。
【請求項９】
前記温度変化組成物が、前記ティッシュウェブ上に５ｇｓｍないし２５ｇｓｍの量で存在することを特徴とする請求項１ないし請求項８のいずれか１項に記載のドライティッシュ製品。
【請求項１０】
前記ティッシュ製品が、３層のティッシュウェブからなることを特徴とする請求項１に記載のドライティッシュ製品。
【請求項１１】
前記相変化物質が、炭化水素、ワックス、オイル、脂肪酸、脂肪酸エステル、二塩基酸、二塩基エステル、１−ハロゲン化物、第一級アルコール、芳香族化合物、無水物、エチレンカーボネート、多価アルコール、またはそれらの混合物を含むことを特徴とする請求項１ないし請求項１０のいずれか１項に記載のドライティッシュ製品。
【請求項１２】
前記温度変化組成物が、複数の相変化物質を含有することを特徴とする請求項１ないし請求項１１のいずれか１項に記載のドライティッシュ製品。
【請求項１３】
前記ティッシュ製品が、フェイシャルティッシュを含むことを特徴とする請求項１ないし請求項１２のいずれか１項に記載のドライティッシュ製品。
【請求項１４】
前記ティッシュ製品が、ロール状に巻き取られたティッシュシートを含むバスティッシュからなることを特徴とする請求項１ないし請求項１３のいずれか１項に記載のドライティッシュ製品。
【請求項１５】
前記ティッシュ製品の外面に保湿剤を含むことを特徴とする請求項１ないし請求項１４のいずれか１項に記載のドライティッシュ製品。
【請求項１６】
前記保湿剤が、ジメチコンを含むことを特徴とする請求項１５に記載のドライティッシュ製品。
【発明の詳細な説明】
【技術分野】
【０００１】
本発明は、皮膚と接触したときに冷却感を与えるティッシュ製品に関する。
【背景技術】
【０００２】
様々な効果を与えるために、多種多様なヘルスケア製品及び化粧品が皮膚に塗布される。そのような製品には、例えば、ローション、クリーム、保湿剤などが含まれ得る。或る状況下においては、上記製品は、皮膚に塗布されると清涼感や冷却感を与えるように意図されている。既存の製品は、通常、皮膚冷却剤を他の物質と組み合わせることによって皮膚に冷却感を与えている。
【０００３】
幾つかの異なる手段によって皮膚に冷却感を与えることができ、そのような手段には、蒸発、神経感覚成分、または相変化物質などの物理的変化を生じさせるものの使用が含まれる。冷却剤の一例は、温度を感じる人体の神経終末に生理的または神経感覚的な効果の形で冷却作用を与えるメントールである。メントールからの冷却感は、蒸発潜熱によってもたらされるものではなく、神経終末で冷受容器を直接刺激した結果のようである。
【０００４】
冷却作用を与えるための相変化物質の使用については、例えば国際公開第２００６／００７５６４号（特許文献１）に記載されており、特許文献１は引用を以て本明細書の一部となす。特許文献１では、スキンケア化粧品組成物は、日焼け後用の製品、髭剃り後用の製品、及び体を保湿する製品用のローションの形で記載されている。ローションは、皮膚から熱を吸収するローション成分を包含することによって皮膚上で冷却感を作り出すことを目的としている。具体的には、皮膚から熱を吸収して融解する成分がローションに包含される。ローション成分は比較的高い融解熱を有するが、融解熱は、特許文献１において、或る固体化学元素を同一温度で固体から液体に変えるためにその融点で吸収される熱を単位質量当たりの数値で表したものとして定義されている。特許文献１には、比較的高い融解熱が皮膚からの熱の吸収を促進し、皮膚に塗布されたときに固体成分を融解させるのに役立ち、それによって皮膚温度を冷却することが記載されている。
【先行技術文献】
【特許文献】
【０００５】
【特許文献１】国際公開第２００６／００７５６４号公報
【特許文献２】米国特許第４，７９３，８９８号明細書
【特許文献３】米国特許第４，５９４，１３０号明細書
【特許文献４】米国特許第３，５８５，１０４号明細書
【特許文献５】米国特許第５，５９５，６２８号明細書
【特許文献６】米国特許第４，５１４，３４５号明細書
【特許文献７】米国特許第４，５２８，２３９号明細書
【特許文献８】米国特許第５，０９８，５２２号明細書
【特許文献９】米国特許第５，２６０，１７１号明細書
【特許文献１０】米国特許第５，２７５，７００号明細書
【特許文献１１】米国特許第５，３２８，５６５号明細書
【特許文献１２】米国特許第５，３３４，２８９号明細書
【特許文献１３】米国特許第５，４３１，７８６号明細書
【特許文献１４】米国特許第５，４９６，６２４号明細書
【特許文献１５】米国特許第５，５００，２７７号明細書
【特許文献１６】米国特許第５，５１４，５２３号明細書
【特許文献１７】米国特許第５，５５４，４６７号明細書
【特許文献１８】米国特許第５，５６６，７２４号明細書
【特許文献１９】米国特許第５，６２４，７９０号明細書
【特許文献２０】米国特許第５，６２８，８７６号明細書
【特許文献２１】米国特許第５，５２９，６６５号明細書
【特許文献２２】国際公開第９９／３４０５７号公報
【特許文献２３】国際公開第００／６６８３５号公報
【特許文献２４】米国特許第６，４２８，７９４ Ｂ１号明細書
【特許文献２５】米国特許第６，９４９，１６７ Ｂ２号明細書
【特許文献２６】米国特許出願公開第２００５０２７４４７０ Ａ１号公報
【特許文献２７】米国特許第６，８９６，７６６ Ｂ２号明細書
【特許文献２８】米国特許第７，００８，５０７ Ｂ２号明細書
【発明の概要】
【発明が解決しようとする課題】
【０００６】
上記した製品では、製品は皮膚に直接触れるように意図されている。その一方で、本発明は、使用中に皮膚を冷却するためのドライティッシュまたは類似のドライワイピング製品における相変化物質等の冷却剤の使用に関する。一実施形態では、冷却剤は、実質的に皮膚と接触しかつ／または皮膚に移動することなく、製品に包含されることができる。代替実施形態では、冷却剤はバスティッシュ（トイレットペーパー）に包含されることができ、それにより製品の使用中に濡れの感覚を引き起こすことができる。
【課題を解決するための手段】
【０００７】
本発明は、概してドライワイピング製品に関し、特に、皮膚に押し当てられたときに冷却感を与えることができるドライティッシュ製品に関する。一実施形態では、例えば、ティッシュ製品は、フェイシャルティッシュを含むことができる。フェイシャルティッシュは、使用者の鼻を快適にするために用いられることができる。例えば、風邪をひいたときに、人の鼻は炎症を起こして荒れてしまうことがある。一実施形態では、本発明は、人の鼻を拭くために用いられることができるだけでなく、鼻を快適にして楽にするために鼻に冷却感を与えることもできるティッシュ製品に関する。
【０００８】
代替実施形態では、ティッシュ製品は、バスティッシュを含み得る。バスティッシュは、例えば、ロール状に巻き取られた製品を含み得る。バスティッシュは、使用者に冷却感を与えることもできる。特に有利であることには、バスティッシュとして用いられるときに、冷却感が濡れの感覚を引き起こし、それが清拭に対する知覚を向上させることができることが予期せず発見された。
【０００９】
一実施形態では、例えば、本発明は、パルプ繊維などの繊維を単独または合成繊維と併せて含有するような少なくとも１つのティッシュウェブから製造されるティッシュ製品に関する。ティッシュウェブは、少なくとも約２ｃｃ／ｇの嵩を有し得る。本発明によれば、温度変化組成物は、ティッシュウェブの少なくとも１つの面上に存在する。温度変化組成物は、約２０℃ないし約３５℃の温度で相変化する少なくとも１つの相変化物質を含む。例えば、一実施形態では、相変化物質は、上記の温度範囲内で固体から液体に変化し得る。
【００１０】
相変化物質は、少なくとも約３５ｃａｌ／ｇ、例えば少なくとも約４０ｃａｌ／ｇ、例えば少なくとも約４５ｃａｌ／ｇの融解熱を有し得る。少なくとも１つの相変化物質がティッシュウェブに存在し、その量は、最終ティッシュ製品が少なくとも約１２０ｃａｌ／ｍ２、例えば少なくとも約１４０ｃａｌ／ｍ２、例えば約１４０ｃａｌ／ｍ２ないし約３００ｃａｌ／ｍ２またはそれ以上の熱吸収量となる量である。直接または間接的に使用者の皮膚に触れると、相変化物質は、使用者から放出された体温を吸収し、相変化するが、それが今度は皮膚に冷却感を与える。
【００１１】
一実施形態では、相変化物質が皮膚に直接触れず、従って皮膚に移動しないようにして、相変化物質をティッシュ製品に包含することができる。例えば、一実施形態では、ティッシュ製品は、貼り合わせられた少なくとも２つのティッシュウェブを含むことができる。温度変化組成物は、２つのティッシュウェブ間に含有されることができる。
【００１２】
代替実施形態では、相変化物質は、使用者の皮膚と直接接触するようにティッシュ製品に包含され得る。例えば、一実施形態では、相変化物質は、ロール状に巻き取られたバスティッシュ製品の外面に塗布され得る。
【００１３】
温度変化組成物に包含された相変化物質は、特定用途及び所望の結果によって異なり得る。相変化物質は、例えば、油溶性かつ疎水性の材料を含むことができる。相変化物質の例には、炭化水素、ワックス、オイル、脂肪酸、脂肪酸エステル、二塩基酸、二塩基エステル、１−ハロゲン化物、第一級アルコール、芳香族化合物、無水物、エチレンカーボネート、多価アルコール、またはそれらの混合物が含まれる。一実施形態では、例えば、複数の相変化物質が温度変化組成物に包含され得る。
【００１４】
本発明で用いるのによく適している相変化物質の特定例には、オクタデカン、ヘプタン酸ステアリル、ノナデカン、及びそれらの混合物が含まれる。
【００１５】
温度変化組成物は、相変化物質に加えて、様々な他の成分を含むことができる。例えば、一実施形態では、温度変化組成物は担体（キャリア）を包含し得る。相変化物質は、例えば、担体に対して混和性を有するが不溶であることがある。組成物に含まれ得る担体には、様々な親水性材料が含まれる。例えば、一実施形態では、担体はグリセリンを含み得る。
【００１６】
温度変化組成物に加えて、様々な他の組成物がティッシュ製品に包含され得る。例えば、一実施形態では、温度変化組成物に加えて、ティッシュ製品はローション組成物を含み得る。ローション組成物は、例えば、皮膚に移動させるためにティッシュ製品の外面上に存在し得る。
【００１７】
本発明は、皮膚の鎮痛または皮膚を快適にするための方法にも関する。該方法は、特定の位置でティッシュシートの外面を使用者の皮膚と接触させるステップを含む。ティッシュシートは、上記したような温度変化組成物を含み得る。温度変化組成物は、使用者の皮膚に移動させないように、実質的にティッシュシートの外面上に存在しないようにティッシュシートに含有され得る。
【００１８】
ティッシュシートは、温度変化組成物が皮膚から放出された体温を吸収するのに十分な所定期間にわたり、使用者の皮膚と接触したまま保持される。より具体的には、温度変化組成物は、相変化物質が相変化し、それによって皮膚に冷却感を与えるように、十分な体温を吸収する。
【００１９】
１つの用途例では、ティッシュシートは、鼻が荒れているかまたは炎症を起こしているならば、鼻に鎮痛・除痛効果及び快適さを与えるために、使用者の鼻に置かれることができる。
【００２０】
本発明の他の機能及び態様については以下に詳述する。
【図面の簡単な説明】
【００２１】
【図１】本発明に従って製造されるワイピング製品の一実施形態の斜視図。
【図２】図１に示したワイピング製品の断面図。
【図３】本発明に従って製造されるワイピング製品の別の実施形態の断面図。
【図４】本発明に従って製造されるロール状に巻き取られたバスティッシュ製品の一実施形態の斜視図。
【発明を実施するための形態】
【００２２】
本明細書の記載が例示的な実施形態について説明しているに過ぎず、本発明のより広範な態様を制限するものではないことは、当業者に理解されよう。
【００２３】
本明細書においてティッシュまたはワイピング製品を説明するために用いられる「ドライ（乾燥）」は、一般的に製品に関連する平衡水分を超えるいかなる水分も製品に供給されないことを意味する。「平衡水分」は、大気条件に長時間晒されたときにシートが含有する水分である。シート内の平衡水分は、同一の相対湿度及び温度では時間とともに変化しない。本発明のドライ製品は、製品の日常的な使用中に遭遇するほとんどの大気条件下で、通常１５％未満、例えば１０％未満、例えば約３％ないし約８％の平衡水分含量を有することになる。
【００２４】
本明細書において用いられるｃａｌ／ｍ２で表される熱吸収量は、ｃａｌ／ｇで表される冷却組成物の融解熱と、ｇ／ｍ２で表されるティッシュ製品に塗布される冷却組成物の塗布率との積として定義される。
【００２５】
融解潜熱及び融点は、示差走査熱量測定（ＤＳＣ）によって測定される。本明細書において定義される融点は、ＤＳＣによって測定されるピーク融解温度を指す。
【００２６】
本発明は、感知される利益を向上させたドライティッシュ製品などのドライワイピング製品に関する。具体的には、本発明に従って製造されるワイピング製品は、皮膚と接触したときに、冷却感及び清涼感を与えることができる。冷却感は、例えば、荒れた皮膚に快適さと痛みを和らげる感覚とを与えることができる。バスティッシュと併用されるとき、冷却感は濡れの感覚を引き起こすこともでき、それが清拭に対する知覚の向上をもたらし得る。
ことも分かっている。一実施形態では、ワイピング製品は、使用者の皮膚に化学成分を移動させることなく冷却感を与える目的で作られることができる。
【００２７】
一実施形態では、例えば、本発明は、温度変化組成物を含むフェイシャルティッシュ製品などのドライワイピング製品に関する。温度変化組成物には、温度が上昇したときに相変化する少なくとも１つの相変化物質が含まれる。相変化物質は、例えば、相変化物質に大量の熱エネルギーを吸収させ、環境よりも低温に調整させることができるような、比較的高い融解熱を有することができる。具体的には、皮膚と接触させられるなどしてワイピング製品が加熱されると、相変化物質は融点まですぐに暖まる。融解熱が高いので、相変化物質が完全に溶けるまで温度変化なしに大量の熱を吸収することができる。その結果、使用者の皮膚に冷却感が与えられる。
【００２８】
図１を参照すると、本発明に従って製造されるティッシュ製品１０の一実施形態が示されている。ティッシュ製品１０は、多種多様な繊維製品から作られる任意の適切なベースシートを含み得る。ティッシュ製品１０は、１プライの製品であることもでき、あるいは積層された複数のティッシュウェブを含むこともできる。
【００２９】
ティッシュ製品１０を作るために用いられ得るティッシュウェブは、例えば、一般的にはパルプ繊維を単独または他の繊維と併せて含有し得る。各ティッシュウェブは、一般的には少なくとも２ｃｃ／ｇ、例えば少なくとも３ｃｃ／ｇのバルク密度を有し得る。
【００３０】
ティッシュウェブの製造に適した繊維には、コットン、アバカ、ケナフ、サバイグラス、亜麻、アフリカハネガヤ、わら、ジュートヘンプ、バガス、トウワタフロス繊維、パイナップルの葉の繊維などの非木質繊維；北方及び南方針葉樹クラフト繊維などの針葉樹繊維を含む針葉樹及び落葉樹から得られる木質繊維またはパルプ繊維などの木質繊維またはパルプ繊維；ユーカリ、カエデ、バーチ、ポプラなどの広葉樹繊維を含むが、これに限定されるものではない任意の天然または合成セルロース繊維が含まれる。パルプ繊維は、高収率または低収率の形態で調製されることができ、かつ、クラフトパルプ化法、サルファイト法、高収率パルプ化法及び他の既知のパルプ化法（蒸解法）を含む任意の既知の方法でパルプ化されることができる。米国特許第４，７９３，８９８号（特許文献２）、同第４，５９４，１３０号（特許文献３）、同第３，５８５，１０４号（特許文献４）に開示されている繊維及び方法を含めて、オルガノソルブパルプ化法から調製される繊維を用いることもできる。有用な繊維は、米国特許第５，５９５，６２８号（特許文献５）に例示されているアントラキノンパルプ化法によって生産されることもできる。
【００３１】
繊維の一部、例えば乾燥重量で最大５０％またはそれ以下、あるいは乾燥重量で約５％ないし約３０％は、レーヨン、ポリオレフィン繊維、ポリエステル繊維、鞘芯型複合繊維、多成分バインダー繊維、及び同類のものなどの合成繊維であり得る。例示的なポリエチレン繊維は、米国デラウエア州ウィルミントンのハーキュリーズ社（Hercules, Inc.）製のＰｕｌｐｅｘ（登録商標）である。任意の既知の漂白方法を用いることができる。合成セルロース繊維の種類には、あらゆる種類のレーヨン及び他のビスコースまたは化学修飾セルロース由来の繊維が含まれる。
【００３２】
マーセル化パルプ、化学的に強化または架橋された繊維、スルホン化繊維などの、化学的に処理された天然セルロース繊維が用いられ得る。製紙用繊維を用いる際の良好な機械特性に関して、繊維は、比較的無傷で、大部分が未精製であるかまたは軽く精製されているだけであることが望ましい場合がある。再生繊維を用いることもできるが、機械特性と汚染物質がないことを考慮すると、バージン繊維が一般的には有用である。マーセル化繊維、再生セルロース繊維、微生物セルロース、レーヨン、及び他のセルロース材料またはセルロース誘導体を用いることもできる。適切な製紙用繊維は、再生繊維、バージン繊維、またはそれらの混合物を含む場合もある。嵩高及び良好な圧縮特性が可能な或る実施形態では、繊維は、少なくとも２００、より効果的には少なくとも３００、尚より効果的には少なくとも４００、最も効果的には少なくとも５００のカナダ標準ろ水度を有することができる。
【００３３】
本発明に用いられることができる他の製紙用繊維には、損紙（ブローク）または再生繊維及び高収率繊維が含まれる。高収率パルプ繊維は、約６５％以上、より効果的には約７５％以上、尚より効果的には約７５％ないし約９５％の収率をもたらすパルプ化工程により生産される製紙用繊維である。収率は、最初の木材質量のパーセンテージとして表される加工繊維の結果量である。そのようなパルプ化工程には、漂白ケミサーモメカニカルパルプ（ＢＣＴＭＰ）、ケミサーモメカニカルパルプ（ＣＴＭＰ）、圧力／圧力サーモメカニカルパルプ（ＰＴＭＰ）、サーモメカニカルパルプ（ＴＭＰ）、サーモメカニカルケミカルパルプ（ＴＭＣＰ）、高収率サルファイドパルプ、高収率クラフトパルプが含まれ、これらは全て、結果的に得られた繊維に高濃度のリグニンを残す。高収率繊維は、典型的な化学的にパルプ化した繊維と比較して乾燥状態でも湿潤状態でも堅いことでよく知られている。
【００３４】
一般的に、ティッシュウェブを形成することができる任意の工程を本発明に用いることもできる。例えば、本発明の製紙工程は、クレープ加工、湿式クレープ加工、ダブルクレープ加工、エンボス加工、湿式加圧、空気加圧、通気乾燥、クレープ加工ありの通気乾燥、クレープ加工なしの通気乾燥、水流交絡、エアレイ法、及び当分野で既知の他のステップを利用することができる。
【００３５】
ティッシュウェブは、少なくとも約５０重量％、例えば少なくとも約６０重量％、例えば少なくとも約７０重量％、例えば少なくとも約８０重量％、例えば少なくとも約９０重量％、例えば１００重量％の量のパルプ繊維を含む繊維製品から形成され得る。
【００３６】
パターンが緻密化またはインプリントされたティッシュシート、例えば以下の米国特許第４，５１４，３４５号（特許文献６）、同第４，５２８，２３９号（特許文献７）、同第５，０９８，５２２号（特許文献８）、同第５，２６０，１７１号（特許文献９）、同第５，２７５，７００号（特許文献１０）、同第５，３２８，５６５号（特許文献１１）、同第５，３３４，２８９号（特許文献１２）、同第５，４３１，７８６号（特許文献１３）、同第５，４９６，６２４号（特許文献１４）、同第５，５００，２７７号（特許文献１５）、同第５，５１４，５２３号（特許文献１６）、同第５，５５４，４６７号（特許文献１７）、同第５，５６６，７２４号（特許文献１８）、同第５，６２４，７９０号（特許文献１９）、同第５，６２８，８７６号（特許文献２０）のうちの任意のものに開示されているティッシュシートもまた、本発明の製品に適している。これら文献の開示は、本明細書と矛盾しない範囲で引用を以て本明細書の一部となす。そのようなインプリントされたティッシュシートは、インプリンティング・ファブリックによってドラムドライヤーに対してインプリントされた網状の緻密化領域と、インプリンティング・ファブリック内のデフレクション・コンジット（deflection conduit）に対応する比較的緻密化されていない領域（例えばティッシュシート内の「ドーム部分」）とを有し得る。ここで、デフレクション・コンジット上に置かれたティッシュシートは、ティッシュシートに低密度の枕様領域すなわちドーム部分を形成するように、デフレクション・コンジットにわたる空気圧の差によって撓ませた。
【００３７】
ティッシュウェブは、それほど内部の繊維間結合強度がない状態で形成されることもできる。この点について、ベースウェブを形成するために用いられる繊維製品は、化学剥離剤で処理されることができる。剥離剤は、パルプ化工程中に繊維スラリーに添加されることができるか、またはヘッドボックスに直接添加されることができる。本発明で用いられ得る適切な剥離剤には、カチオン性剥離剤、例えば、脂肪族ジアルキル第４級アミン塩、モノ脂肪族アルキル第３級アミン塩、第１級アミン塩、イミダゾリン第４級塩、シリコーン第４級塩、及び不飽和脂肪アルキルアミン塩が含まれる。他の適切な剥離剤は米国特許第５，５２９，６６５号（特許文献２１）に開示されており、特許文献２１は引用を以て本明細書の一部となす。具体的には、特許文献２１には、剥離剤としてカチオン性シリコーン組成物を用いることが開示されている。
【００３８】
一実施形態では、本発明の工程において用いられる剥離剤は、有機第４級塩化アンモニウム及びとりわけ第４級塩化アンモニウムのシリコーンベースのアミン塩である。例えば、剥離剤は、ハーキュリーズ社（Hercules Corporation）が発売しているＰＲＯＳＯＦＴ（登録商標）ＴＱ１００３であり得る。剥離剤は、繊維スラリーに、スラリー内の繊維１メトリックトン当たり約１ｋｇないし約１０ｋｇ添加されることができる。
【００３９】
代替実施形態では、剥離剤は、イミダゾリンベースの薬剤であり得る。イミダゾリンベースの薬剤は、例えばウイト社（Witco Corporation）から入手可能である。イミダゾリンベースの剥離剤は、１メトリックトン当たり２．０ないし約１５ｋｇ添加されることができる。
【００４０】
一実施形態では、剥離剤は、国際公開第９９／３４０５７号（特許文献２２）または同第００／６６８３５号（特許文献２３）に開示されている工程に従って繊維製品に添加されることができ、両文献は引用を以て本明細書の一部となす。これらの文献では、剥離剤などの化学添加物が高濃度で製紙用セルロース繊維上へ吸収される工程が開示されている。この工程は、繊維スラリーを過剰な化学添加物で処理するステップと、十分な滞留時間をかけて吸収を行わせるステップと、スラリーをろ過して未吸収の化学添加物を除去するステップと、不織ウェブを形成する前にろ過したパルプをきれいな水に再分散させるステップとを含む。
【００４１】
製品及び工程にさらなる利益を与えるために、任意選択の化学添加物が、含水紙原料または形成された初期ウェブに添加されることもあり、本発明の所望の利益と対立しない。本発明の付加組成物とともにウェブに塗布され得る追加の化学薬品の例として次の材料が含まれる。化学薬品は、例として含まれるものであり、本発明の範囲を制限する意図はない。そのような化学薬品は、製紙工程中に付加組成物に同時に添加される場合を含めて製紙工程の任意の時点で添加され得る。このとき、上記添加物は、付加組成物と直接混合される。
【００４２】
紙ウェブに添加され得る化学薬品のさらなる例には、通常はカチオン性、アニオン性、または非イオン性の界面活性剤の形態である吸収助剤、低分子量ポリエチレングリコールなどの可塑剤及び保湿剤、並びにグリセリン及びプロピレングリコールなどのポリヒドロキシ化合物が含まれるが、これらに限定されるものではない。皮膚の健康効果を与える材料、例えば、鉱油、アロエのエキス、ビタミンＥ、シリコーン、ローション一般及び同類のものなどが、最終製品に包含されることもある。
【００４３】
一般的に、本発明の製品は、その使用目的と対立しない任意の既知の材料及び化学薬品と併用されることができる。そのような材料の例には、臭気制御剤、例えば臭気吸収剤、活性炭繊維及び粒子、ベビーパウダー、ベーキングソーダ、キレート剤、ゼオライト、香水または他の臭気マスキング剤、シクロデキストリン化合物、酸化剤、及び同類のものが含まれるが、これに限定されるものではない。高吸収性粒子、合成繊維、またはフィルムが用いられることもある。さらなる選択肢には、カチオン染料、光学的光沢剤、保湿剤、皮膚軟化剤などが含まれる。
【００４４】
本発明に従って処理され得るティッシュウェブは、１つの均質な繊維層を含み得るか、または成層または層状構造を含み得る。例えば、ティッシュウェブプライは、２層または３層の繊維層を含み得る。各層は、異なる繊維組成物を有し得る。
【００４５】
各繊維層は、製紙用繊維の希釈水性懸濁液を含む。各層に含まれる特定の繊維は、一般的に、形成される製品及び所望の結果によって異なる。一実施形態では、例えば、中間層は、南方針葉樹クラフト繊維を単独または高収率繊維などの他の繊維と併せて含有する。一方、外層は、北方針葉樹クラフトなどの針葉樹繊維を含み得る。
【００４６】
代替実施形態では、中間層は強度を強くするために針葉樹繊維を含み得るが、外層は柔らかさを感知するようにユーカリ繊維などの広葉樹繊維を含み得る。
【００４７】
本発明に従って製造されるティッシュウェブの坪量は、最終製品によって異なり得る。例えば、工程は、フェイシャルティッシュ、バスティッシュ、ペーパータオル、産業用タオル、及び同類のものを製造するために用いられ得る。一般的に、ティッシュ製品の坪量は、約１０ｇｓｍないし約８０ｇｓｍ、例えば約２０ｇｓｍないし約６０ｇｓｍであり得る。バスティッシュ及びフェイシャルティッシュに関しては、例えば、坪量は約１０ｇｓｍないし約６０ｇｓｍであり得る。他方では、ペーパータオルに関しては、坪量は約２５ｇｓｍないし約８０ｇｓｍであり得る。
【００４８】
ティッシュウェブのバルク（嵩）は、約２ｃｃ／ｇから２０ｃｃ／ｇ、例えば約５ｃｃ／ｇから１５ｃｃ／ｇまで変わることもある。シート「バルク」は、ミクロンで表されるドライティッシュシートの厚さ（キャリパー）を、ｇ／ｍ２で表される乾燥坪量で除した商として計算される。結果的に得られるシートバルクは、ｃｍ３／ｇで表される。さらに具体的に言うと、厚さは、１０枚の代表的なシートの束の全厚として測定され、束の全厚が１０で除される。このとき、束内の各シートは同じ面を上にして載置される。厚さは、ＴＡＰＰＩ試験方法Ｔ４１１ ｏｍ−８９（"Thickness (caliper) of Paper, Paperboard, and Combined Board" with Note 3 for stacked sheets）に従って測定される。Ｔ４１１ ｏｍ−８９を実行するために用いられるマイクロメータは、米国オレゴン州ニューバーグのエンベコ社（Emveco, Inc.）製エンベコ２００−Ａティッシュキャリパーテスタである。マイクロメータは、２００キロパスカル（１インチ当たり１３２グラム）のロード、２５００平方ミリメートルのプレッシャーフット面積、５６．４２ミリメートルのプレッシャーフット径、３秒のドウェル時間、毎秒０．８ミリメートルの下降速度を有する。
【００４９】
マルチプライ（多層）の製品では、製品中に存在する各ティッシュウェブの坪量も多様であり得る。一般的に、マルチプライの製品の総坪量は、概ね上記したのと同じ、例えば約２０ｇｓｍないし約８０ｇｓｍになる。それゆえ、各プライの坪量は、約５ｇｓｍないし約６０ｇｓｍ、例えば約１０ｇｓｍないし約４０ｇｓｍであり得る。
【００５０】
本発明によれば、ティッシュ製品１０は、温度変化組成物を含む。温度変化組成物は、加熱されたときに相変化し、それが今度は皮膚に冷却感を与えるような、少なくとも１つの相変化物質を含む。温度変化組成物は、任意の適切な方法または技術を用いてティッシュ製品１０に包含されることができる。例えば、温度変化組成物は、ティッシュ製品上に噴射されるか、ティッシュ製品上に押し出されるか、あるいは、例えば、フレキソ印刷、直接グラビア印刷（ダイレクトグラビア印刷）または間接グラビア印刷を用いてティッシュ製品上に印刷されることができる。さらに別の実施形態では、温度変化組成物は、ナイフコータやスロットコータなどの任意の適切な塗工機器を用いてティッシュ製品に塗布されることができる。一実施形態では温度変化組成物は室温で固体であるので、ティッシュウェブに塗布する前に組成物を融解させることが望ましいであろう。最終ティッシュウェブへのそのような融解状態の材料の塗布は、当分野で公知である。時には、特に処理された製品が最終製品またはさらなる処理のためにロール状に巻き取られるときには、融解した相変化物質を塗布した直後にウェブを冷却させることも効果的であり得る。相変化物質をウェブ融点以下に冷却させると、ロール状に巻き取られたウェブが「ブロッキング」を起こす可能性は低くなる。本明細書において用いられる「ブロッキング」は、ロール状に巻き取られた状態における隣接する向かい合うシート同士が互いに付着し、ロール状に巻き取られた状態からウェブの巻き出しができなくなる性質を指す。
【００５１】
一般的に、相変化物質は、温度安定範囲または温度安定範囲内で熱エネルギーを吸収または放出して熱流を減少または消失させる能力を有する任意の物質を含む。温度安定範囲は、特定の転移温度または転移温度範囲を含み得る。本発明の様々な態様とともに用いられる相変化物質は、相変化物質が熱を吸収または放出している間に、典型的には相変化物質が２つの状態（例えば、液体状態と固体状態、液体状態と気体状態、固体状態と気体状態、または２つの固体状態）間で転移するときに、熱エネルギーの流量を変えることができることが好ましい。この作用は通常は一時的なものであり、つまり、加熱または冷却工程中に相変化物質の潜熱が吸収または放出されるまで続くことを意味する。熱エネルギーは、相変化物質に蓄積されるか相変化物質から除去されることができ、相変化物質は通常、熱源または冷却源によって効果的に再蓄積されることができる。本発明のために、本発明の温度変化組成物は、例えば皮膚の冷却用に適するように、約２３℃ないし約３５℃の温度で相変化を呈する。本発明の他の実施形態では、約２３℃ないし約３２℃、約２８℃ないし約３２℃、または任意の他の適切な範囲内にある転移温度を有する材料が選択され得る。相変化温度は、製品の周辺温度と使用者の皮膚の外面温度の間で相変化が生じるように選択される。
【００５２】
本発明の温度変化組成物は、転移温度が混在する複数の相変化物質を混合した混合物を含み得る。相変化物質の混合物が用いられるときには、集合体の融点が上述の温度限界内にあるように成分を選択することができる。場合によっては、温度変化組成物を含む個々の相変化物質の融点は、温度変化組成物の相変化温度の融点の限界外にあることがある。しかし、複数の相変化物質の混合物は、所望の温度限界内で相変化を示すことになる。温度変化組成物が皮膚に直接または間接的に押し当てられたとき、温度変化組成物は、室温から皮膚の温度までゆっくりと暖まる。相変化物質は、特定の相変化温度で融解する。融解は熱を必要とし、熱は皮膚から奪われ、冷感を与える。材料が溶けると、冷却感は消える。或る範囲内の相変化物質の相変化温度（この場合は融点）を有することは、冷たいと感じられる温度範囲を超えることになりかねない。一例では、１８℃、２８℃、及び３５℃の相変化温度をそれぞれ有する相変化物質の組合せは、２３℃ないし３２℃の融点を有する温度変化組成物を作り出すように組み合わせられる。
【００５３】
適切な相変化物質には、例えば、ＢＡＳＦ社から入手可能な精製されたカプセル化パラフィンであるＬＵＲＡＰＲＥＴ（登録商標）相変化粉末、炭化水素（例えば、直鎖アルカン系またはパラフィン系炭化水素、分枝鎖アルカン、不飽和炭化水素、ハロゲン化炭化水素、脂環式炭化水素）、ワックス、脂肪酸、脂肪酸エステル、二塩基酸、二塩基エステル、１−ハロゲン化物、第一級アルコール、芳香族化合物、無水物（例えばステアリン酸無水物）、エチレンカーボネート、多価アルコール（例えば２，２−ジメチル−１，３−プロパンジオール、２−ヒドロキシメチル−２−メチル−１，３−プロパンジオール、ペンタエリスリトール、ジペンタエリスリトール、ペンタグリセリン、テトラメチロールエタン、ネオペンチルグリコール、テトラメチロールプロパン、モノアミノペンタエリスリトール、ジアミノペンタエリスリトール、及びトリス（ヒドロキシメチル）酢酸）、重合体（例えば、ポリエチレン、ポリエチレングリコール、ポリプロピレン、ポリプロピレングリコール、ポリテトラメチレングリコール、並びに共重合体、例えば、アルキル炭化水素側鎖またはポリエチレングリコール側鎖を有するポリアクリル酸塩またはポリメタクリル酸、及びポリエチレン、ポリエチレングリコール、ポリプロピレン、ポリプロピレングリコール、またはポリテトラメチレングリコールを含む共重合体）、及びそれらの混合物が含まれるが、これらに限定されるものではない。２つの適切な相変化物質は、ヘプタン酸ステアリルとｎ−オクタデカンである。
【００５４】
上記したように、一実施形態では、温度変化組成物は、２つまたはそれ以上の相変化物質の混合物を含み得る。１つの特定の実施形態では、温度変化組成物は、ヘプタン酸ステアリルとｎ−オクタデカンの混合物を含む。
【００５５】
本発明の相変化物質は、カプセル化されていない形態の相変化物質及びカプセル化された形態の相変化物質を含み得る。カプセル化されていない形態の相変化物質は、様々な形態の固体（例えば、バルク形態、粉末状、ペレット状、顆粒状、フレーク状など）として、または様々な形態の液体（例えば、融解形態、溶媒に溶解した状態など）として提供され得る。
【００５６】
本発明の温度変化組成物の別の態様は、相変化物質を含む温度変化組成物の融解熱である。本発明の温度変化組成物は、少なくとも約３５ｃａｌ／ｇ、例えば少なくとも約４０ｃａｌ／ｇ、例えば少なくとも約４５ｃａｌ／ｇの融解熱を有し得る。例えば、一実施形態では、温度変化組成物は、相変化物質として直鎖炭化水素などの炭化水素を含む。炭化水素は、例えば、鎖内に約１２個以上の炭素原子、例えば鎖内に約１８個の炭素原子ないし約１９個の炭素原子を含み得る。相変化物質の特定の例には、例えば、オクタデカン（融解熱約５７．８ｃａｌ／ｇ）、ノナデカン、ヘプタン酸ステアリル及びそれらの混合物が含まれる。
【００５７】
１若しくは複数の相変化物質は、温度変化組成物中に、約１重量％ないし１００重量％、例えば約５０重量％ないし約１００重量％含まれ得る。例えば、特定の実施形態では、相変化物質は、温度変化組成物に約８０重量％ないし約１００重量％存在し得る。
【００５８】
しかし、おそらく、より重要であるのは、本発明の製品の熱吸収量である。ｃａｌ／ｍ２で表される熱吸収量は、ｃａｌ／ｇで表される温度変化組成物の融解熱と、ｇ／ｍ２で表されるティッシュ製品に塗布される温度変化組成物の塗布率との積である。本発明の製品の熱吸収量は、少なくとも約１２０ｃａｌ／ｍ２、例えば少なくとも約１４０ｃａｌ／ｍ２、例えば約１４０ｃａｌ／ｍ２ないし約３００ｃａｌ／ｍ２またはそれ以上であり得る。多くの適用例に関して、相変化物質がティッシュウェブ上に約４ｇｓｍないし約２５ｇｓｍ存在するように温度変化組成物をウェブに塗布することができる。
【００５９】
１若しくは複数の相変化物質に加えて、温度変化組成物は、様々な他の成分及び組成物を含むことができる。例えば、一実施形態では、温度変化組成物は担体を含むことができる。一般的には、相変化物質が不溶である任意の適切な担体を用いることができる。例えば、一実施形態では、相変化物質が混合しない担体を用いることができる。担体は、例えば、一実施形態では親水性であり得る。一般的には、相変化物質と担体の極性は、もしあれば、逆であり得る。相変化物質に混和性材料を包含させると、温度変化組成物の融点に影響を与え、温度変化組成物の融解熱を奪いやすくなる。例えば、ヘプタン酸ステアリル、ｎ−オクタデカン及び他の疎水性相変化物質は、日常的に使用されかつローションを含むフェイシャルティッシュに関して記載されている十分な量の疎水性成分（例えば、鉱油、セレシンワックス及び他の成分）を含む温度変化組成物に直接混合されることができないことが分かっている。疎水性ローション成分及び相変化物質は、互いに混和性を有し、結果的に得られる温度変化組成物は、かなり低下した融解熱を有し、使用中に検出可能な冷却感を生成できないことがある。
【００６０】
使用され得る担体の例には、例えば、任意のグリセリン誘導体を含むグリセリンが含まれる。他の担体は、例えば、アクリル酸とＣ１０−Ｃ３０アクリル酸アルキルとの架橋共重合体を含み得る。
【００６１】
担体に加えて、相変化物質の機能特性を妨げない任意の他の適切な成分が温度変化組成物に含まれ得る。温度変化組成物が皮膚に直接触れ得るように温度変化組成物がティッシュ製品の外面に塗布されるとき、相変化物質に加えて追加の保湿剤を温度変化組成物に包含させることは効果的であろう。疎水性保湿剤が用いられるときには、保湿剤は、温度変化組成物が融解熱及び融点に関して必要条件を確実に満たすような方法で包含され得る。一実施形態では、好適な保湿剤は、米国ミシガン州ミッドランドのダウコーニング社（Dow-Corning）から市販されているＤＣ２５０３化粧品ワックス等のステアリルジメチコンワックスである。
【００６２】
温度変化組成物は、図１に示すティッシュ製品１０の外面上に存在することができるが、一実施形態では、実質的に外面上に温度変化組成物が存在しないように温度変化組成物をティッシュ製品に包含させることができる。例えば、図２を参照すると、積層された第１のティッシュウェブ２２及び第２のティッシュウェブ２４からなるティッシュ製品２０が示されている。図のように、第１のティッシュウェブ２２と第２のティッシュウェブ２４の間に、本発明に従って製造された温度変化組成物２６が配置される。２つのティッシュウェブ間に温度変化組成物２６を配置することによって、温度変化組成物が実質的に皮膚に移動しないようにする。しかし、ティッシュ製品２０が皮膚に押し当てられると、ティッシュウェブを介して体温が温度変化組成物２６に吸収されることになるので、温度が上昇する。温度の上昇は、相変化物質内で相変化を生じさせ、使用者の皮膚に冷却感を与えることになる。
【００６３】
１つの特定の実施形態では、クーリングティッシュ製品は、３プライ以上（２つの外側プライ及び１若しくは複数の内側プライ）を含むフェイシャルティッシュである。温度変化組成物は、１若しくは複数の内層のうちの少なくとも１つの層に塗布される。別の実施形態では、クーリングティッシュ製品は、２プライからなるフェイシャルティッシュであり、２つの外向きの表面及び２つの向かい合う内面を含む。相変化組成物は、２つの向かい合う内面の一方または両方に塗布される。別の実施形態では、クーリングティッシュ製品は、マルチプライのティッシュ製品であって、ブロッキングを最小にするように選択的にマルチプライの製品の内部部分に相変化組成物が塗布されているような製品である。
【００６４】
このように、他の有益な組成物が、ティッシュ製品の外面に塗布され、温度変化組成物２６と併用され得る。例えば、一実施形態では、皮膚を潤いを与えることを目的としたローションが、ティッシュ製品の少なくとも１つの外面上に存在することができ、温度変化組成物と関連して働き得る。このように、ティッシュ製品２０は、使用者に冷却感を与えることができるのみならず、保湿剤を皮膚に移動させることもできる。
【００６５】
ローションに加えて、任意の他の適切な組成物を外面に塗布することもできる。例えば、一実施形態では、ティッシュ製品の外面上に様々な軟化剤が存在し得る。軟化剤の一例は、ポリシロキサンを含み得る。
【００６６】
図２に示す２プライの製品に加えて、本発明に従って製造され得る他のティッシュ製品は、３つ以上のプライを含むことができる。例えば、３プライのティッシュ製品３０が図３に示されている。図のように、ティッシュ製品３０は、外側ティッシュウェブ３２及び３６に積層された中間ティッシュウェブ３４を含む。本発明によれば、温度変化組成物は、第１のティッシュウェブ３２と中間ティッシュウェブ３４の間に存在する。温度変化組成物４０は、中間ティッシュウェブ３４と第２の外側ティッシュウェブ３６の間に配置されることもできる。
【００６７】
代替実施形態では、本発明の温度変化組成物は、ティッシュ製品の１若しくは複数の外面上にも存在し得る。例えば、図４を参照すると、一実施形態では、温度変化組成物はバスティッシュ製品５０の外面に塗布されることができる。図のように、バスティッシュ製品５０は、ミシン目５４によって分離される個々のティッシュシート５２を含むロール状に巻き取られた製品を構成する。ティッシュシートは、第１の外面５６及び第２の外面５８を含み得る。各ティッシュシートは、１プライの製品またはマルチプライの製品を構成し得る。本発明によれば、温度変化組成物は、第１の外面５６上、第２の外面５８上、または両外面上に存在し得る。
【００６８】
図４に示すバスティッシュ製品に温度変化組成物を塗布することにより、様々な予期せぬ利益及び利点がもたらされ得る。例えば、温度変化組成物は、実際にバスティッシュシートに使用者への濡れの感覚を引き起こさせるような冷却感を与えることができる。濡れの感覚は、清拭に対する知覚の向上につながり得る。
【００６９】
図４に示すバスティッシュに塗布されるとき、温度変化組成物は、使用者にさらなる利益を与えるために上記したような保湿剤を含み得る。
【００７０】
疎水性の相変化物質が用いられるときには、疎水性相変化物質が存在するせいで生じ得る何らかの疎水性の影響を減少させる方法を用いることが有利であり得る。疎水性添加物を含むティッシュシートの疎水性を低下させるための様々な方法が当分野で知られている。例えば、米国特許第６，４２８，７９４ Ｂ１号（特許文献２４）に教示されているように、４より大きいＨＬＢを有する親水性界面活性剤を温度変化組成物に混ぜ合わせることができる。ティッシュシートの疎水性を低下させるための他の例示的な手段には、限定されるものではないが、米国特許第６，９４９，１６７ Ｂ２号（特許文献２５）、米国特許出願公開第２００５０２７４４７０ Ａ１号（特許文献２６）、米国特許第６，８９６，７６６ Ｂ２号（特許文献２７）及び米国特許第７，００８，５０７ Ｂ２号（特許文献２８）に教示されている手段が含まれ、これらは引用を以て本明細書の一部となす。
【００７１】
例
【００７２】
次の例を参照すると、本発明をより良く理解できるであろう。
【００７３】
分析：
【００７４】
様々な組成物の融解潜熱及び融点を示差走査熱量測定によって測定した。以下の実験手順を用いてティー・エイ・インスツルメント社（TA Instruments）製ＤＳＣ２９２０変調ＤＳＣ（標準セル）上で複数のサンプルを分析した。それぞれの材料約５ｍｇを０．１ｍｇ単位まで秤量した。サンプルを、不活性ガス（Ｎ２）雰囲気中で、−５０℃ないし１００℃の温度間隔で、１０℃／分の加熱／冷却速度で試験した。それぞれの融解ピークの積分から融解熱（Ｈｆ）を計算した。報告された結果は、３つの加熱／冷却サイクルからの平均値である。
【００７５】
例１〜６
【００７６】
本発明に適した温度変化組成物のリストを以下に示す。これらの組成物は、以下の市販されている成分のうちの１若しくは複数から構成される。
【００７７】
１）アルキルメチルシロキサンワックス（有機官能性シロキサン）。ステアリルジメチコン、ダウコーニング２５０３化粧品ワックスとしても知られている。皮膚に接触すると融解し、潤いを与える効果をもたらす。２）ヘプタン酸ステアリル。融点２３〜２７℃、約１７４Ｊ／ｇの融解潜熱を有する。ヘプタン酸ステアリルは、ステアリルアルコールとヘプタン酸（エナント酸）のエステルである。これはステアリルアルコールから調製され、ステアリルアルコールはマッコウクジラの鯨油由来または植物源由来のものであり得る。ヘプタン酸ステアリルは、２３〜２７℃で皮膚上で融解し、皮膚を冷却する。または３）ｎ−オクタデカン。融点２８〜３０℃、２００Ｊ／ｇを超える融解潜熱を有する直鎖飽和炭化水素。
【表１】
0005634393.tif 000002
【００７８】
例７
【００７９】
例７は、冷たさを感じさせるフェイシャルティッシュ製品を製造するための、ティッシュベースシートへの温度変化組成物の塗布を示す。４４ｇ／ｍ２の最終坪量を有し、広葉樹繊維６５パーセント、針葉樹繊維３５パーセントからなる３プライのクレープ加工ティッシュシートを用いた。各フェイシャルティッシュは、２つの外層及び１つの中間層を含む層を成す繊維製品から製造したものである。オクタデカン（シェブロン・フィリップス社（Chevron / Phillips））を５０℃の温度まで加熱し、同時オフセットグラビア印刷工程により３プライのティッシュ製品の両外面に印刷した。塗布工程を通じてオクタデカンが確実に融解状態のままであるようにするために、プリンタの流体貯蔵部を５０℃まで加熱した。オクタデカンを１００パーセント固液状態でシートに供給した。グラビアロールは、米国ケンタッキー州ルイビルにあるサザン・グラフィック・システムズ社（Southern Graphics Systems）製の、電子的に彫刻されたクロムめっき銅製のロールであった。グラビアロールは、３６０線／インチの万線スクリーン及びロール表面１平方インチ当たり８ＢＣＭ（８０億立方ミクロン）のボリューム（容量）を有していた。ゴム製のバッキングオフセットアプリケータロールは、デュロメータ硬さが７５ショアＡの注型用ポリウレタン表面を有しており、米国ウィスコンシン州ユニオングローブにあるアメリカン・ローラー社（American Roller Company）製である。グラビアロールとゴム製バッキングロール間の印刷圧（interference）が９．５２５ｍｍ（０．３７５インチ）、互いに対向するゴム製バッキングロール間の間隔が０．０７６ｍｍ（０．００３インチ）である状態にセットした。同時オフセット／オフセットグラビアプリンタは、４５．７２ｍ（１５０’）／分の速度で動かされ、繊維の１１重量％のオクタデカンの添加率が得られることが分かった。ティッシュシートは、手に持たれたときまたは顔に押し当てられたときに、顕著な自力での冷却感を与えることが分かった。
【００８０】
例８
【００８１】
例８は、相変化物質の局所ローション処理との併用を示す。４４ｇ／ｍ２の繊維坪量を有し、鉱油、ステアリルアルコール及びセレシンワックスを含む疎水性保湿ローションを約８重量％含有する３プライのローションフェイシャルティッシュを薄い層に裂いた。中央プライには、全製品の約１５重量％の割合でオクタデカンを塗布した。その後、疎水性相変化物質を含む内側プライと、外向きの面に保湿ローションが塗布された２つの外側プライとを有する３層のフェイシャルティッシュ製品を形成するように、製品を圧着した。結果的に得られたフェイシャルティッシュ製品は、相変化物質を含まないローションティッシュ製品に比べて顕著な冷感を有していた。
【００８２】
本発明のこれら及び他の変更形態及び変形形態は、本発明の趣旨及び範囲から逸脱することなしに、当業者によって実行され得るものであり、本発明の範囲は、より詳細には添付の請求項に記載されている。その上、当然のことながら、種々の実施形態の態様は、全体的にも部分的にも置き換えられ得る。さらに、当業者は、前述の説明が例示に過ぎず、添付の請求項にさらに述べられる本願発明を限定する意図はないことを理解するであろう。
【図１】
0005634393.tif 000003
【図２】
0005634393.tif 000004
【図３】
0005634393.tif 000005
【図４】
0005634393.tif 000006